(57)【要約】【課題】本考案は、室内で洗濯物を干す装置を提供する。【解決手段】装置ケース（１）に、着脱割溝付穴（３）とこの穴を締付ける、ボルトナット（４）を設け、さらに装置ケース（１）の上面左右に、フック（２）を設ける、また装置ケース（１）の内部の適当なる位置に、小型モーター（５）と伝達ギアー（６）を設け、この伝達ギアー（６）の回転垂直軸（７）に、回転ハンガー（８）の吊軸（９）を固定して取付る、さらに回転ハンガー（８）の下部中心に、回転スイッチ付ハンガー吊フック（１０）を設ける、そして装置ケース（１）に設けた、小型モーター（５）に充電体（１１）と電源スイッチ（１４）を配線し設け、さらにこれと結線して外部に、電源としての太陽電池（１２）を設ける、最後にスタンド（１３）を着脱可能にした、装置ケース（１）の着脱割溝付穴（３）に装着する。【選択図】図１
0003104279.tif 000002
【実用新案登録請求の範囲】
【請求項１】
装置ケース（１）に、着脱割溝付穴（３）とこの穴を締付ける、ボルトナット（４）を設け、さらに装置ケース（１）の上面左右に、フック（２）を設ける、また装置ケース（１）の内部の適当なる位置に、小型モーター（５）と伝達ギアー（６）を設け、この伝達ギアー（６）の回転垂直軸（７）に、回転ハンガー（８）の吊軸（９）を固定して取付る、さらに回転ハンガー（８）の下部中心に、回転スイッチ付ハンガー吊フック（１０）を設ける、そして装置ケース（１）に設けた、小型モーター（５）に充電体（１１）と電源スイッチ（１４）を配線し設け、さらにこれと結線して外部に、電源としての太陽電池（１２）を設ける、最後にスタンド（１３）を着脱可能にした、装置ケース（１）の着脱割溝付穴（３）に装着してなる、ソーラー回転装置。
【考案の詳細な説明】
【技術分野】
【０００１】  本考案は、室内での洗濯物等の物干し技術に関するものである。
【背景技術】
【０００２】  従来、天気が良ければ洗濯物は外に干すが、積極的に室内で干す事はしなかった。
【考案の開示】
【考案が解決しようとする課題】
【０００３】  洗濯物を外で干すには、洗濯竿に吊るすが、この一般的な洗濯して干して、取込みする工程が、如何に大変である事は主婦等は良く分かっている。さらに洗濯物の干す条件が、建物の種類、位置そして、天候の変化により大きく変わるので、取込んだり、再度出したり、強風が吹けば飛ばされないような処置、その他で大変であった。
本考案は、このような問題を改善する為になされたものである。
【課題を解決するための手段】
【０００４】  まず装置ケース（１）に、スタンド（１３）を着脱自在に差込んで固定するための、着脱割溝付穴（３）を設け、この穴を締付けてスタンド（１３）を完全に固定する、ボルトナット（４）を設ける。また装置ケース（１）の上面左右に、フック（２）を設ける。そして装置ケース（１）の内部の適当なる位置に、小型モーター（５）と伝達ギアー（６）を設け、この伝達ギアー（６）の回転垂直軸（７）に、回転ハンガー（８）の吊軸（９）を取付け一体に固定する。さらに回転ハンガー（８）の中心下部に回転スイッチ付ハンガー吊フック（１０）を設ける。そして装置ケース（１）に設けた、小型モーター（５）に充電体（１１）と電源スイッチ（１４）を配線して設け、さらにこれと結線して、離れた外部に、太陽電池（１２）を設ける。最後にスタンド（１３）を装置ケース（１）の着脱割溝付穴（３）に装着する。
【考案の効果】
【０００５】  １．太陽の当たる室内等に簡単に置けるので、室内場所の移動が手軽に出来る、その為に洗濯物は、どこでも誰でも好みの場所に干すことができる。
２．電源は太陽電池を利用するので、電気代はいらない。また通常電池利用や充電も出来るので、年中洗濯物を干す事ができる。また産業品乾燥物等に応用も出来る。
３．雨天、強風、雪等の天候変化に関係なく、洗濯物を乾かす事ができる。
４．洗濯物が空気中を回転するので、水分発散が効率的で良く乾き、また乾燥室内を適度の湿度に保つ効果大。また吊りスイッチがあるので、洗濯物を吊り下げると自動的に回転し、取込めば止まるので便利である。
５．回転ハンガーを、左右逆に回転させると、静かな気流が適当に起きて、室内空調環境が向上し、洗濯物の乾燥も速まる。
６．室内にスタンドで置く方式と、上から本体を吊るす方式が出来るので便利である。
７．簡単構造であるから、大量生産が可能でローコストに出来る。
８．スルメ、アジの開き等海産物を干したり、多くの用途利用が出来る。
【考案を実施するための最良の形態】
【０００６】  装置ケース（１）に、スタンド（１３）を着脱自在に差込んで固定するための、
着脱割溝付穴（３）を設ける。スタンド（１３）および装置ケース（１）は軽量にして美観、耐腐食性を備える必要もあり、アルミ合金材料を使用するのがベストである。次に、この穴を締付けてスタンド（１３）を完全に固定するボルトナット（４）を設ける。ナットは使い勝手の良い蝶ナットがベストである。さらにまた、装置ケース（１）の外側上面左右に、本考案を吊るす事も出来るようにフック（２）を設ける。そして装置ケース（１）の内部の適当なる位置に、小型モーター（５）と伝達ギアー（６）を設ける。本考案によれば、左右に小型モーター（５）を設けて、左右のハンガーに洗濯物を吊るして、右左のモーター回転を逆にすることが、ベストである。さらにこの伝達ギアー（６）の回転垂直軸（７）に、回転ハンガー（８）の吊軸（９）を取付け一体に固定する。この回転ハンガー（８）の中心下部には、洗濯物を掛けた時のその重みで、モーターの電源がオン・オフできる、回転スイッチ付ハンガー吊フック（１０）を設ける。そして装置ケース（１）に設けた、小型モーター（５）の補助電源としての充電体（１１）と電源スイッチ（１４）を配線して設け、さらにこれと結線して、離れた外部に、太陽電池（１２）を設ける。最後にスタンド（１３）を装置ケース（１）の着脱割溝付穴（３）に装着する。
本考案は、以上のような構成よりなる、ソーラー回転装置である。【０００７】  本考案を使用するときには、室内の日当たりの良い場所を選んで、本装置を移動して、回転ハンガー（８）に洗濯物を吊るす。また中心部回転スイッチ付ハンガー吊フック（１０）にも、シャツ類を掛けたハンガーを吊るす。それからメインスイッチで、電源を入れる。これで、吊るした洗濯物はゆっくり回転を始める。あとは、乾くのを待つだけで良い。乾いたならば、中心の洗濯物ハンガーから先に、取ってゆけば回転が止まり、洗濯物は取りやすくなる。また本装置を出窓等、その他置きにくかったり、スタンド式では場所が無い場合は、上面のフック（２）にヒモ類で良いから、上から吊るして使用する事が出来る。こうして洗濯物を吊るして、電源を入れると、左右の回転が逆に回る事で、左右のトルクが打ち消しあって、本装置の揺れがほとんど無くなるので快適に干す事が出来る。
【図面の簡単な説明】
【０００８】
【図１】  本考案の斜視図である。
【図２】  本考案の伝達部分の説明図である。
【図３】  本考案のスタンド取付説明図である。
【符号の説明】
【０００９】  １  装置ケース
２  フック
３  着脱割溝付穴
４  ボルトナット
５  小型モーター
６  伝達ギアー
７  回転垂直軸
８  回転ハンガー
９  吊軸
１０  回転スイッチ付ハンガー吊フック
１１  充電体
１２  太陽電池
１３  スタンド
１４  電源スイッチ
【図１】
0003104279.tif 000003
【図２】
0003104279.tif 000004
【図３】
0003104279.tif 000005